(57)【要約】  本発明はメイン支持体と、第一支持体および第二支持体と、第一支持体とメイン支持体および第二支持体とメイン支持体との間に設置されるサブ支持体を含み、メイン支持体、サブ支持体は前記ヒンジが閉じる時の弯曲部位に対応し、前記ヒンジにはまた往復に繰り返して曲げられるプラスチック片も設置され、前記プラスチック片は前記サブ支持体とメイン支持体の端部付近の上表面上に位置し、前記プラスチック片の両端はそれぞれ第一支持体と第二支持体と連結され、前記プラスチック片はまたサブ支持体とメイン支持体に固定連結される、外フレキシブルスクリーン・モバイル端末のヒンジを提供する。本発明は構造が合理的であり、ヒンジ中部構造がより組み立て易くなり、耐用年数がもっと長くなる。【選択図】図１
2021510799.tif 000002
【特許請求の範囲】
【請求項１】
メイン支持体と、
前記メイン支持体に設置される第一軸・第二軸と、
前記第一軸・第二軸に連結される第一支持台・第二支持台と、
第一支持台・第二支持台とそれぞれ滑り連結される第一支持体・第二支持体と、
第一支持体とメイン支持体および第二支持体とメイン支持体との間に設置されるサブ支持体と
を含み、
メイン支持体とサブ支持体は、前記ヒンジが閉じる時の弯曲部位に対応し、
往復に繰り返して曲げられるプラスチック片も設置され、
前記プラスチック片は、前記サブ支持体とメイン支持体の端部付近の上表面上に配置され、
前記プラスチック片の両端は、それぞれ第一支持体と第二支持体と連結され、
前記プラスチック片は、またサブ支持体とメイン支持体に固定連結されることを特徴とし、
前記プラスチック片の外側がフレキシブルスクリーンに支持を提供する、
外フレキシブルスクリーン・モバイル端末のヒンジ。
【請求項２】
前記第一支持体と第二支持体は、それぞれ連結部材が設置され、
前記プラスチック片は、第一支持体上の連結部材と第二支持体上の連結部材に嵌まれ、射出成型によって一体連結、熱溶解連結、スナップ連結または接着剤連結となる、
ことを特徴とする請求項１に記載の外フレキシブルスクリーン・モバイル端末のヒンジ。
【請求項３】
前記プラスチック片は、前記サブ支持体およびメイン支持体と熱溶解によって一体に連結されるか、或いは接着剤によって接着される、
ことを特徴とする請求項１または２に記載の外フレキシブルスクリーン・モバイル端末のヒンジ。
【請求項４】
前記プラスチック片は、前記サブ支持体およびメイン支持体とスナップ連結される、ことを特徴とする請求項１または２に記載の外フレキシブルスクリーン・モバイル端末のヒンジ。
【請求項５】
前記プラスチック片は、前記サブ支持体およびメイン支持体とスナップ連結される、ことを特徴とする請求項３に記載の外フレキシブルスクリーン・モバイル端末のヒンジ。
【請求項６】
前記プラスチック片は、射出成型によってサブ支持体に一体に連結されている、ことを特徴とする請求項１に記載の外フレキシブルスクリーン・モバイル端末のヒンジ。
【請求項７】
前記プラスチック片は、
隣接するサブ支持体との間や、メイン支持体とそれと隣接するサブ支持体との間に対応する位置に、プラスチック片本体内部に凹む凹部があり、
凹部の底部は、円形であり、
サブ支持体と連結される部位には、両側のラップアングル部および／または挿入部があり、メイン支持体と連結される部位にはメイン支持体が挿入される部位があり、
メイン支持体には対応する穴があって、連結部材と連結される部位に連結部材を嵌め込むクランピングロッドが設置されている、
ことを特徴とする請求項１に記載の外フレキシブルスクリーン・モバイル端末のヒンジ。
【請求項８】
第一支持体の連結部材と、第二支持体の連結部材と、プラスチック片と、メイン支持体と、サブ支持体は、一つに組み立てられたユニットモジュールであり、
第一支持体上の連結部材と第二支持体上の連結部材は、それぞれ第一支持体と第二支持体に連結されている、
ことを特徴とする請求項２に記載の外フレキシブルスクリーン・モバイル端末のヒンジ。
【請求項９】
前記ヒンジは、
第一支持台とともにヒンジの回転軸を中心として回転する第一ガイド構造と、
第二支持台とともにヒンジの回転軸を中心として回転する第二ガイド構造と
を備え、
前記第一支持体とメイン支持体との間にあるサブ支持体には、第一ガイド構造とガイド嵌めとなる構造を有し、
前記第二支持体とメイン支持体との間にあるサブ支持体には、第二ガイド構造とガイド嵌めとなる構造を有し、
前記第一支持体とメイン支持体との間にあるサブ支持体は、第一支持台とともにヒンジ軸を中心として回転および自転することができ、
前記第二支持体とメイン支持体との間にあるサブ支持体は、第二支持台とともにヒンジ軸を中心として回転および自転でき、
前記自転軸線とヒンジの回転軸は、平行であり、
前記自転中心はフレキシブルスクリーンの支持基準面に置かれるか、或いはその付近に位置され、
前記ヒンジは、第一支持体と第二支持体が前記ヒンジ軸を中心としてシンクロナス回転ができるようにする、シンクロナス制御機構を有する、
ことを特徴とする請求項１に記載の外フレキシブルスクリーン・モバイル端末のヒンジ。
【請求項１０】
二つの請求項１に記載のヒンジを含み、
二つのヒンジのヒンジ軸の軸線は一対一で重なり、
二つの第一支持体は、一体になり、
二つの第二支持体も一体になり、
二つのヒンジのメイン支持体も一体になり、
二つのヒンジの第一支持体とメイン支持体との間にあるサブ支持体の数は、等しくて、一対一で一体に連結され、
二つのヒンジの第二支持体とメイン支持体との間にあるサブ支持体の数は、等しくて、一対一で一体に連結される、
ことを特徴とする外フレキシブルスクリーン・モバイル端末のヒンジ装置。
【発明の詳細な説明】
【技術分野】
【０００１】
本発明はフレキシブルスクリーン・モバイル端末およびそのヒンジに関するものである。
【背景技術】
【０００２】
フレキシブルスクリーンは新しく現れたスクリーンであり、フレキシブルスクリーンがモバイル端末の外側に設置される外フレキシブルスクリーン・モバイル端末にとって、ヒンジが閉じられたり開らかれたりする際に生じる、長さの変化に対応しなければならない。ヒンジの中部に、一部のヒンジに複数の支持体を使用した構造で弯曲または平らに開く際の支えと形状の変化を実現しているものの、当該部位の組立性や耐用年数はまだまだ改進する必要がある。
【発明の概要】
【発明が解決しようとする課題】
【０００３】
発明が解決しようとする第一の課題：
本発明は、フレキシブルスクリーン・モバイル端末に使用でき、ヒンジの中部がより組立し易く、耐用年数をより長くすることを第一の目的とする。
【０００４】
本発明には、以下の技術手段が採用されている：
メイン支持体と、前記メイン支持体に設置される第一軸・第二軸と、前記第一軸・第二軸に連結される第一支持台・第二支持台と、第一支持台・第二支持台とそれぞれ滑り連結される第一支持体・第二支持体と、第一支持体とメイン支持体および第二支持体とメイン支持体との間に設置されるサブ支持体とを含み、メイン支持体やサブ支持体はヒンジが閉じる時の弯曲部位に対応し、
また、往復に繰り返して曲げられるプラスチック片も設置され、前記プラスチック片は前記サブ支持体とメイン支持体の端部付近の上表面上に位置し、前記プラスチック片の両端はそれぞれ第一支持体と第二支持体と連結され、前記プラスチック片はまたサブ支持体とメイン支持体に固定連結されることを特徴とする、その外側がフレキシブルスクリーンに支持を提供する、外フレキシブルスクリーン・モバイル端末のヒンジ。
【０００５】
さらに、第一支持体と第二支持体はそれぞれ連結部材が設置され、前記プラスチック片は第一支持体上の連結部材と第二支持体上の連結部材に嵌まれ、射出成型によって一体になってもよい。
【０００６】
さらに、前記プラスチック片は、前記サブ支持体およびメイン支持体と熱溶解によって一体に連結されてもよい。
【０００７】
さらに、前記プラスチック片は、前記サブ支持体およびメイン支持体とスナップ連結されてもよい。
【０００８】
さらに、前記プラスチック片は、射出成型によってサブ支持体に一体に連結されてもよい。
【０００９】
さらに、前記プラスチック片は、隣接するサブ支持体との間や、メイン支持体とそれと隣接するサブ支持体との間に対応する位置に、プラスチック片本体内部に凹む凹部があり、凹部の底部は円形となり、サブ支持体と連結される部位には両側のラップアングル部および／または挿入部があり、メイン支持体と連結される部位にはメイン支持体が挿入される部位があり、メイン支持体には対応する穴があって、連結部材と連結される部位に連結部材を嵌め込むクランピングロッドが設置されていてもよい。
【００１０】
さらに、第一支持体上の連結部材と第二支持体上の連結部材やプラスチック片、メイン支持体、サブ支持体などは一つに組み立てられたユニットモジュールであり、第一支持体上の連結部材と第二支持体上の連結部材はそれぞれ第一支持体と第二支持体に連結されてもよい。
【００１１】
さらに、前記ヒンジは、第一支持台とともにヒンジの回転軸を中心として回転する第一ガイド構造と、第二支持台とともにヒンジの回転軸を中心として回転する第二ガイド構造とを備え、前記第一支持体とメイン支持体との間にあるサブ支持体には、第一ガイド構造とガイド嵌めとなる構造を有し、前記第二支持体とメイン支持体との間にあるサブ支持体には第二ガイド構造とガイド嵌めとなる構造を有し、前記第一支持体とメイン支持体との間にあるサブ支持体は第一支持台とともにヒンジ軸を中心として回転および自転することができ、前記第二支持体とメイン支持体との間にあるサブ支持体は第二支持台とともにヒンジ軸を中心として回転および自転でき、前記自転軸線とヒンジの回転軸は平行であり、前記自転中心はフレキシブルスクリーンの支持基準面に置かれるか、或いはその付近に位置され、前記ヒンジは、第一支持体と第二支持体が前記ヒンジ軸を中心としてシンクロナス回転ができるようにするシンクロナス制御機構を有していてもよい。
【００１２】
さらに、前記第一ガイド構造と第二ガイド構造はいずれも溝からなり、前記第一支持体とメイン支持体との間にあるサブ支持体には前記第一ガイド構造と嵌め合うガイドピンがあり、前記第二支持体とメイン支持体との間にあるサブ支持体には第一ガイド構造と嵌め合うガイドピンがあって、前記第一支持体とメイン支持体の間にあるサブ支持体および第二支持体とメイン支持体との間にあるサブ支持体が複数ある時に、第一支持体とメイン支持体との間にある複数のサブ支持体および第二支持体とメイン支持体との間にある複数のサブ支持体が、順次に回転できるようにする。
【００１３】
本発明が解決しようとする第二の課題：
外フレキシブルスクリーン・モバイル端末のヒンジ装置を提供することを第二の目的とする。
【００１４】
第二の課題を実現するための技術手段：
本発明は、ヒンジ装置に上記二種中のいずれかを含み、二つのヒンジのヒンジ軸の軸線は一対一で重なり、二つの第一支持体は一体になり、二つの第二支持体も一体になり、二つのヒンジのメイン支持体も一体になり、二つのヒンジの第一支持体とメイン支持体との間にあるサブ支持体の数は等しくて、一対一で一体に連結され、二つのヒンジの第二支持体とメイン支持体との間にあるサブ支持体の数は等しくて、一対一で一体に連結される、外フレキシブルスクリーン・モバイル端末のヒンジ装置。
【発明の効果】
【００１５】
本発明の有益な効果：
本発明の技術手段を使用することによって、本発明は構造が合理的であり、ヒンジ中部構造がより組み立て易くなり、耐用年数がもっと長くなる。本発明を携帯電話やパソコンなどのモバイル端末に使用する場合、その中のヒンジとして使用できるだけなく、その中のフレキシブルスクリーンの支持構造として使用することもでき、ヒンジの外側にてフレキシブルスクリーンに支持を提供し、携帯電話やパソコンが開くと閉じる時に、フレキシブルスクリーンが自由自在に開かれるまたは曲がるようにして、コンパクトの構造でビッグスクリーンディプレイを実現することができ、モバイル端末が開く／閉じる際の完璧且つ調和の取れた外観を持たせられる。
【図面の簡単な説明】
【００１６】
【図１】図１は本発明によって提供される実施例の分解図である。
【図２】図２は本発明によって提供される実施例の開き状態でのヒンジ装置の外側略図である。
【図３】図３は本発明によって提供される実施例の閉じ状態でのヒンジ装置の略図である。
【図４】図４は本発明によって提供される実施例の開き状態での構造略図である。
【図５】図５は本発明によって提供される実施例のメイン支持体、サブ支持体、連結部材およびプラスチック片のモジュール略図である。
【図６】図６は図５中のＡ−Ａ断面図である。
【図７】図７は図５中のＢ−Ｂ断面図である。
【図８】図８は図６中のＣ部位拡大図である。
【発明を実施するための形態】
【００１７】
図面のとおり、本発明によって提供されるフレキシブルスクリーン・モバイル端末のヒンジは、その外側がフレキシブルスクリーンを支持している。ヒンジは、メイン支持体１を備えている。メイン支持体１には、ヒンジ軸が設置されている。両軸のヒンジとして、メイン支持体１は、二本の平行するヒンジ回転軸、つまり第一軸１１と第二軸１２を備えている。
【００１８】
ヒンジは、第一支持台２１と第二支持台２２、および、第一支持台２１と第二支持台２２にそれぞれ滑り連結される第一支持体３１と第二支持体３２を備えている。第一支持台２１は、第一軸１１と回転連結されている。第二支持台２２は、第二軸１２と回転連結されている。第一支持台２１と第二支持台２２は、それぞれガイド溝２１１、２２１を有している。第一支持体３１と第二支持体３２には、それぞれガイド溝２１１、２２１に滑り連結されるスライダ３１１、３２１が連結されている。
【００１９】
スライダ３１１、３２１は、それぞれ凹溝３１２、３２２を有している。第一支持台２１と第二支持台２２は、スナップリング２１２、２２２を備えている。スナップリング２１２、２２２は、凹溝３１２、３２２と嵌まり合う凸部２１３、２２３を備えている。凹溝と凸部とが嵌まり合っていることによって、ヒンジが開かれたり、閉じられたりする時の触感が提供される。
【００２０】
第一支持体３１とメイン支持体１との間および第二支持体３２とメイン支持体１との間には、それぞれサブ支持体が配置されている。メイン支持体とサブ支持体は、ヒンジが閉じる時の弯曲部位に対応する。
【００２１】
ヒンジには、また往復に繰り返して曲がることのできるプラスチック片７００が備えられている。プラスチック片７００は、サブ支持体とメイン支持体の端部付近の上表面上に配置されている。第一支持体３１と第二支持体３２は、それぞれ連結部材３１３、３２３が備えられている。プラスチック片７００の両端は、それぞれ連結部材３１３，３２３との連結を介して第一支持体３１と第二支持体３２とに連結されている。
【００２２】
プラスチック片７００は、支持体とメイン支持体に固定連結される。プラスチック片７００は、フレキシブルスクリーンの支持基準面上に置かれるか、或いはその付近に置かれる。片側毎のサブ支持体の数は、モバイル端末の厚み、サブ支持体自体の寸法によって決まる。本実施例では、サブ支持体は、片側に２本ずつ使用されており、それぞれ４１、４２、４３、４４と表示されている。
【００２３】
チップ７００は、回転中および停止状態において、サブ支持体４１、４２、４３、４４を平らに整え、異なるサブ支持体の回転角度と方向にずれが発生して支持のムラが生じることを防いでいる。サブ支持体４１、４２、４３、４４は、メイン支持体１とともに、ヒンジが開かれた状態であるか、閉じられた状態であるか、或いは回転中であるかを問わず、フレキシブルスクリーンを平らに支持する。
【００２４】
プラスチック片７００は、優れた柔軟性を有するだけでなく、もっと優れた可塑性を有するので、インサート射出成型や、熱溶解、接着剤連結、スナップ連結など数々の方式で連結することができる。
【００２５】
連結部材３１３、３２３とプラスチック片７００は、インサート射出成型によって一体に連結され、熱溶解連結やスナップ連結または接着剤接着の構造で連結される。
【００２６】
サブ支持体とプラスチック片７００は、インサート射出成型によって一体に連結され、熱溶解連結やスナップ連結または接着剤接着の構造で連結される。
【００２７】
メイン支持体とプラスチック片７００は、熱溶解連結やスナップ連結または接着剤接着の構造で連結される。
【００２８】
本発明において、異なる部材との間をそれぞれインサート射出成型または熱溶解方式で連結することによって、連結がより確実に、製造がより易しくなる。
【００２９】
そのうち、プラスチック片７００は第一支持体上の連結部材３１３および第二支持体上の連結部材３２３とインサート射出成型によって一体に連結される。或いは、プラスチック片７００は第一支持体３１および第二支持体３２と直接インサート射出成型によって一体に連結される。
【００３０】
プラスチック片７００は、サブ支持体４１、４２、４３、４４およびメイン支持体１と熱溶解によって一体に連結される。
【００３１】
プラスチック片７００は、サブ支持体およびメイン支持体とスナップ連結されることもできる。或いは、スナップ連結に基づき、さらに熱溶解連結を使用することもできる。
【００３２】
プラスチック片７００は、隣接するサブ支持体との間や、メイン支持体とそれと隣接するサブ支持体との間の対応する位置に、プラスチック片本体内部に凹む凹部７０１がある。凹部の底部は、円形である。サブ支持体と連結される部位には、両側のラップアングル部７０２と挿入部７０５がある。メイン支持体１と連結される部位には、メイン支持体１が挿入される部位７０３がある。メイン支持体１には、対応する穴があって、第一支持体３１と第二支持体３２が連結される部位には、第一支持体３１と第二支持体３２（または第一支持体上の連結部材３１３と第二支持体上の連結部材３２３）を嵌め込むクランピングロッド７０４が設置され、より優れた折り畳み性能と連結性能を持たせる。
【００３３】
図６のとおり、第一支持体上の連結部材３１３と第二支持体上の連結部材３２３やプラスチック片７００、メイン支持体１、サブ支持体４１、４２、４３、４４などは、一つに組み立てられたユニットモジュールになる。第一支持体上の連結部材３１３と第二支持体上の連結部材３２３は、それぞれ第一支持体３１と第二支持体３２に連結され、組立がより便利になる。
【００３４】
第一支持体３１とメイン支持体１との間にあるサブ支持体４１、４２は、第一支持台２１とともにヒンジ軸１１を中心として回転および自転することができる。第二支持体３２とメイン支持体１との間にあるサブ支持体４３、４４は、第二支持台２２とともにヒンジ軸１２を中心として回転および自転できる。自転軸線とヒンジの回転軸１１，１２は、平行しており、自転中心はフレキシブルスクリーンの支持基準面に置かれる。フレキシブルスクリーンの支持基準面は、ヒンジがモバイル端末に利用される時に、モバイル端末が開かれたり、閉じられたりする中において、長さの変わらない層は、通常フレキシブルスクリーンが置かれる層に比べて、やや低いか、或いはやや高い。
【００３５】
ヒンジには、第一支持台２１とともにヒンジの回転軸１１を中心として回転する第一ガイド構造と、第二支持台２２とともにヒンジの回転軸１２を中心として回転する第二ガイド構造とが設置されている。第一ガイド構造は、第一支持台２１上に設けられたガイド溝５１からなる。第二ガイド構造は、第二支持台２２上に設けられたガイド溝５２からなる。第一支持体３１とメイン支持体１との間にあるサブ支持体４１、４２には、第一ガイド構造とガイド嵌めとなる構造がある。それは、ガイド溝５１と嵌め合うガイドピンであり、それぞれ４１１、４２１と表示されている。第二支持体３２とメイン支持体１との間にあるサブ支持体４３、４４には、第二ガイド構造とガイド嵌めとなる構造がある。それは、ガイド溝５２と嵌め合うガイドピンであり、それぞれ４３１、４４１と表示されている。
【００３６】
ガイド嵌めによって、ヒンジは高さ方向（つまりモバイル端末の厚み方向）において、サブ支持体の高さをさらに限定することになる。ヒンジの弯曲部位や、第一支持体３１、第二支持体３２などのフレキシブルスクリーンに対する支持高さを一致させることができる。ヒンジの弯曲部位に対する実際支持をなるべくフレキシブルスクリーンの支持基準面に適合させると同時に、ガイド溝５１、５２がサブ支持体４１、４２、４３、４４の端面に対して、リミットの役割を果たすようにして、ヒンジの長さ方向においてサブ支持体に対するリミットの役割を果たす。
【００３７】
第一支持体３１とメイン支持体１の間にあるサブ支持体および第二支持体３２とメイン支持体１との間にあるサブ支持体が複数ある時に、上記ガイド嵌めは、第一支持体とメイン支持体との間にある複数のサブ支持体および第二支持体とメイン支持体との間にある複数のサブ支持体が、順次に回転できるようにするが、このような回転順序は、ガイド溝の軌跡を調整することによって回転順序を変えるなど、その他の方式を取ることもでき、その目的は前記プラスチック片７００がサブ支持体を平滑に処理するためである。
【００３８】
第一ガイド構造は、第一ガイド構造とガイド嵌めとなる構造に対してリミット構造が設置されており、ヒンジが閉じ状態になっている時に、第一ガイド構造と、第一ガイド構造とガイド嵌めとなる構造との相対位置を安定な状態にさせ、前記第二ガイド構造は、第二ガイド構造とガイド嵌めとなる構造に対してリミット構造が設置されており、ヒンジが閉じ状態になっている時に、第二ガイド構造と、第二ガイド構造とガイド嵌めとなる構造との相対位置を安定な状態にさせる。これらのリミット構造はそれぞれガイドピンと嵌め合う所にて溝壁上に位置する凹溝５３、５４である。
【００３９】
ヒンジには、シンクロナス制御機構も設置されている。シンクロナス制御機構は、第一支持体と第二支持体がヒンジの回転軸を中心としてシンクロナス回転ができるようにする。シンクロナス機構は、ヒンジの回転軸と回転連結される第一揺動アーム６１および第二揺動アーム６２を含んでいる。第一揺動アーム６１は、第一軸１１と回転連結される。第二揺動アーム６２は、第二軸１２と回転連結される。且つ第一揺動アーム６１と第二揺動アーム６２は、第一連結棒６３と第二連結棒６４のそれぞれの一端と回転連結される。第一連結棒６３と第二連結棒６４の回転軸線は、ヒンジの回転軸と垂直である。第一連結棒６３と第二連結棒６４の他の一端は、第一支持体３１と第二支持体３２と回転連結される。
【００４０】
シンクロナス制御機構は、フレキシブルスクリーン支持基準面の裏側に位置し、フレキシブルスクリーン支持基準面と違う平面上に位置する。
【００４１】
第一支持体３１の裏側および第二支持体３２の裏側には、ケーシング３３１、３４１が連結されている。第一支持台２１の裏側と第二支持台２２の裏側にもケーシング３３２、３４２が設けられている。ケーシング３３１とケーシング３３２は、重なる部分があり、ケーシング３３２とケーシング３４２は、重なる部分があって、上記ヒンジ構造をカバーする用途に使用される。
【００４２】
図のとおり、二つの上記ヒンジは、モバイル端末のヒンジ装置を形成し、且つ二つのヒンジの回転軸１１、１２の軸線は、一対一で重なる。二つのヒンジの第一支持体３１は、一体になり、二つのヒンジの第二支持体３２も一体になり、二つのヒンジのメイン支持体１も一体になる。二つのヒンジの第一支持体３１とメイン支持体１との間のサブ支持体の数は等しく、且つ一対一で一体に連結される。二つのヒンジの第二支持体３２とメイン支持体１との間のサブ支持体の数は、等しく、且つ一対一で一体に連結される。
【００４３】
ヒンジの回転軸上には、トルク機構を設置することもでき、摩擦力を提供する方式によって、回転抵抗力を提供して、随時停止、随時ポジショニング機能を実現し、図の中のすべてのヒンジ回転軸との回転または滑り連結部位は、いずれも上記トルク機構を設置することができる。
【００４４】
本発明によって提供されるフレキシブルスクリーン・モバイル端末は、携帯電話やＰＣなどであり、本のように折り畳むことができる。当該フレキシブルスクリーン・モバイル端末には、上記ヒンジ装置およびフレキシブルスクリーン１００が設置される。フレキシブルスクリーンは、フレキシブルスクリーン・モバイル端末の外側に設置され、第一支持体、第二支持体、メイン支持体、サブ支持体によって、フレキシブルスクリーンに対する支持を構成する。
【００４５】
以上はただの本発明の最良の実施形態に過ぎない。本発明の構造的特徴は、これに限らず、本分野の技術者が本発明の分野において、行われた変化または修飾は、いずれも本発明の保護範囲にカバーされる。
【図１】
2021510799.tif 000003
【図２】
2021510799.tif 000004
【図３】
2021510799.tif 000005
【図４】
2021510799.tif 000006
【図５】
2021510799.tif 000007
【図６】
2021510799.tif 000008
【図７】
2021510799.tif 000009
【図８】
2021510799.tif 000010
【国際調査報告】
2021510799.tif 000011
2021510799.tif 000012
2021510799.tif 000013
2021510799.tif 000014
2021510799.tif 000015
2021510799.tif 000016